(57)【要約】      （修正有）【課題】  耐衝撃性、耐擦傷性、及び耐変形性をいずれも良好とし、記録媒体ディスクの保護性を向上したディスク収納ケースを提供する。【解決手段】  ディスク収納ケース１は、記録媒体ディスク２を着脱自在に保持するディスクトレイ１０と、ディスクトレイ１０を収容する開閉自在な外側ケース３とを備えたものであり、ディスクトレイ１０の曲げ弾性率が、外側ケース３の曲げ弾性率より大きいものである。ディスクトレイ１０の曲げ弾性率は、外側ケース３の曲げ弾性率の１．５倍以上であることが好ましく、ディスクトレイ１０の曲げ弾性率が３．０ＧＰａ以上であり、外側ケース３の曲げ弾性率が２．０ＧＰａ以下であることが特に好ましい。【選択図】  図１
2006213348.tif 000002
【特許請求の範囲】
【請求項１】
記録媒体ディスクを着脱自在に保持するディスクトレイと、該ディスクトレイを収容する開閉自在な外側ケースとを備えたディスク収納ケースにおいて、
前記ディスクトレイの曲げ弾性率が、前記外側ケースの曲げ弾性率より大きいことを特徴とするディスク収納ケース。
【請求項２】
前記外側ケースは、一端縁同士がヒンジ部を介して互いに連結され、一体成形された、開閉自在な一対のケース半体からなり、該一対のケース半体のうち少なくとも一方に、別成形された前記ディスクトレイが嵌め込まれたものであることを特徴とする請求項１に記載のディスク収納ケース。
【請求項３】
前記ディスクトレイの曲げ弾性率が、前記外側ケースの曲げ弾性率の１．５倍以上であることを特徴とする請求項１又は２に記載のディスク収納ケース。
【請求項４】
前記ディスクトレイの曲げ弾性率が３．０ＧＰａ以上であり、前記外側ケースの曲げ弾性率が２．０ＧＰａ以下であることを特徴とする請求項３に記載のディスク収納ケース。
【請求項５】
前記ディスクトレイは、ポリスチレン系樹脂、ポリカーボネート系樹脂、及びポリアクリル系樹脂から選ばれる１種以上を主成分とし、かつ、前記外側ケースが、ポリウレタン系樹脂及び／又はポリオレフィン系樹脂を主成分とするものであることを特徴とする請求項１〜４のいずれかに記載のディスク収納ケース。
【発明の詳細な説明】
【技術分野】
【０００１】
本発明は、ＣＤ、ＤＶＤ、ＢＤ等の記録媒体ディスクを収納するディスク収納ケースに関する。
【背景技術】
【０００２】
ＣＤ（Compact Disc）、ＤＶＤ（Digital Versatile Disc）、ＢＤ（Blu-ray Disc）等の記録媒体ディスクを収納するディスク収納ケースとして、記録媒体ディスクを着脱自在に保持するディスクトレイと、このディスクトレイを収容する、一端縁同士が互いに連結され、開閉自在な一対のケース半体からなる外側ケースとを有するものが広く用いられている。
【０００３】
外側ケースの内面側には、カード状やブックレット状のインデックスが取り付けられることが多く、インデックス視認性を確保するため、一般に、外側ケースは透光性材料から構成される。また、従来、製造容易性、製造コスト等の観点から、外側ケースとディスクトレイとは、同一材料により構成されている。収納ケースの材料としては、従来、ポリスチレン（ＰＳ）やポリプロピレン（ＰＰ）が使用されている。用いる樹脂の特性に応じて、従来のディスク収納ケースには大きく分けて２つのタイプがある（特許文献１、２等）。
【０００４】
ＰＳタイプでは、図２（ａ）に示す如く、外側ケースをなす一対のケース半体１２０、１３０が別成形され、この外側ケースに別成形のディスクトレイ１１０が嵌め込まれる。また、一方のケース半体１２０の互いに対向する一対の側壁に連結用アーム１２１が設けられると共に、連結用アーム１２１の内側に突起１２２が突設され、他方のケース半体１３０の側壁に突起１２２の先端部が入り込む凹部１３１が設けられ、突起１２２を回動軸として、一対のケース半体１２０、１３０の一端縁同士が開閉自在に連結される。
【０００５】
これに対して、ＰＰタイプでは、図２（ｂ）に示す如く、外側ケースをなす一対のケース半体１２０、１３０がヒンジ部１４０を介して一体成形され、この外側ケースにディスクトレイ１１０が一体成形される。
【特許文献１】実用新案登録第３０９４２１４号公報
【特許文献２】特開２００３−１３７３８０号公報
【発明の開示】
【発明が解決しようとする課題】
【０００６】
記録媒体ディスクの高容量化、ディスク収納ケースの薄型化等に伴い、記録情報の保護のために、ディスク収納ケースには一層の高強度化が望まれてきている。
【０００７】
ＰＳタイプは、ＰＰに比して剛性が高いため、曲げ応力に対する「耐変形性」に優れる。しかしながら、ＰＳタイプは、剛性が高い故に、ＰＰに比して柔軟性が小さく、応力吸収力が比較的小さいため、落下等に対する「耐衝撃性」や、引っ掻き等に対する「耐擦傷性」がＰＰに比して劣る傾向にある。
【０００８】
また、ＰＳタイプは、剛性を有するが故に、成形性がＰＰに比して良くなく、ヒンジ部を介して一対のケース半体を一体成形するような複雑な成形が難しい。そのため、上記の如く、一方のケース半体に連結用アームを設け、これに微細な突起をつけて、一対のケース半体を連結させている。かかる構成では、外側ケースの開閉の度に、連結用アームと突起の部分に局所的に応力がかかり、連結部分にかかるストレスが比較的大きい。
【０００９】
一方、ＰＰタイプは、ＰＳに比して剛性が低く比較的柔軟性を有するため、ＰＳに比して、応力吸収力が比較的大きく、「耐衝撃性」や「耐擦傷性」に優れる。また、柔軟性を有するが故に、成形性が良く、連結用アームや突起を設けることなく、一対のケース半体をヒンジ部を介して一体成形でき、ＰＳタイプに比して連結部分の耐久性に優れる。しかしながら、ＰＰタイプは、柔軟性を有するが故に、曲げ応力に対する「耐変形性」がＰＳに比して劣る傾向にあり、曲げ応力がかかると、記録媒体ディスクが収納ケースと共に僅かながらも変形する恐れがある。
【００１０】
上記のように、「耐衝撃性及び耐擦傷性」と「耐変形性」とは互いに背反する特性であるため、従来のディスク収納ケースでは、これらを共に良好とすることが難しく、さらなる高強度化に対応することが難しい。
【００１１】
本発明はかかる事情に鑑みてなされたものであり、耐衝撃性、耐擦傷性、及び耐変形性がいずれも良好で、記録媒体ディスクの保護性が向上されたディスク収納ケースを提供することを目的とするものである。また、耐衝撃性、耐擦傷性、耐変形性、及び連結部分の耐久性がいずれも良好なディスク収納ケースを提供することを目的とするものである。
【課題を解決するための手段】
【００１２】
本発明のディスク収納ケースは、記録媒体ディスクを着脱自在に保持するディスクトレイと、該ディスクトレイを収容する開閉自在な外側ケースとを備えたディスク収納ケースにおいて、前記ディスクトレイの曲げ弾性率が、前記外側ケースの曲げ弾性率より大きいことを特徴とする。
【００１３】
本明細書において、「曲げ弾性率」は、ＪＩＳ  Ｋ７１７１に準拠して測定されるものとする。
【００１４】
本発明のディスク収納ケースでは、前記外側ケースは、一端縁同士がヒンジ部を介して互いに連結され、一体成形された、開閉自在な一対のケース半体からなり、該一対のケース半体のうち少なくとも一方に、別成形された前記ディスクトレイが嵌め込まれた構成とすることができる。
【００１５】
本発明のディスク収納ケースにおいては、前記ディスクトレイの曲げ弾性率が、前記外側ケースの曲げ弾性率の１．５倍以上であることが好ましく、前記ディスクトレイの曲げ弾性率が３．０ＧＰａ以上であり、前記外側ケースの曲げ弾性率が２．０ＧＰａ以下であることが特に好ましい。
【００１６】
本発明のディスク収納ケースにおいては、前記ディスクトレイが、ポリスチレン系樹脂、ポリカーボネート系樹脂、及びポリアクリル系樹脂から選ばれる１種以上を主成分とし、かつ、前記外側ケースが、ポリウレタン系樹脂及び／又はポリオレフィン系樹脂を主成分とするものであることが好ましい。
【００１７】
本明細書において、「主成分」は含量９０質量％以上の成分と定義する。
【発明の効果】
【００１８】
本発明のディスク収納ケースでは、ディスクトレイの曲げ弾性率が外側ケースの曲げ弾性率よりも大きい構成としている。換言すれば、外側ケースの曲げ弾性率がディスクトレイの曲げ弾性率より小さい構成としている。
【００１９】
かかる構成のディスク収納ケースでは、落下や引っ掻き等の応力が加わった際には、剛性が比較的低い外側ケースによって、応力が良好に吸収されるので、「耐衝撃性及び耐擦傷性」が良好なものとなる。また、曲げ応力が加わった際には、剛性が比較的高いディスクトレイによって、変形が抑えられるので、「耐変形性」も良好なものとなる。したがって、本発明のディスク収納ケースは、耐衝撃性、耐擦傷性、及び耐変形性がいずれも良好で、記録媒体ディスクの保護性が向上されたものとなる。
【００２０】
さらに、本発明のディスク収納ケースでは、外側ケースの剛性が比較的低いので、外側ケースの成形性が優れる。そのため、外側ケースを、一端縁同士がヒンジ部を介して互いに連結され、一体成形された、開閉自在な一対のケース半体により構成することができる。かかる構成では、開閉時に連結部分にかかるストレスが抑えられるので、耐衝撃性、耐擦傷性、耐変形性、及び連結部分の耐久性がいずれも良好なものとなる。
【発明を実施するための最良の形態】
【００２１】
次に、本発明について詳細に説明する。
【００２２】
本発明のディスク収納ケースは、ＣＤ（Compact Disc）、ＤＶＤ（Digital Versatile Disc）、ＢＤ（Blu-ray Disc）等の記録媒体ディスクを収納するケースであり、記録媒体ディスクを着脱自在に保持するディスクトレイと、このディスクトレイを収容する開閉自在な外側ケースとを備えたものである。外側ケースは、好ましくは、一端縁同士が互いに連結された、開閉自在な一対のケース半体により構成され、この場合、少なくとも一方のケース半体にディスクトレイが嵌め込まれる。
【００２３】
本発明のディスク収納ケースでは、ディスクトレイの曲げ弾性率Ｇａが、外側ケースの曲げ弾性率Ｇｂより大きい（Ｇａ＞Ｇｂ）ことを特徴とする。
【００２４】
従来は、外側ケースとディスクトレイの材質は同一（Ｇａ＝Ｇｂ）であったのに対し、本発明は、これらを別材質により構成し、かつ、ディスクトレイの曲げ弾性率Ｇａを、外側ケースの曲げ弾性率Ｇｂより大きい（外側ケースの曲げ弾性率Ｇｂがディスクトレイの曲げ弾性率Ｇａより小さい）構成としている。すなわち、本発明では、外側ケースを比較的「低剛性材料」により構成し、ディスクトレイを比較的「高剛性材料」により構成している。
【００２５】
かかる構成の本発明のディスク収納ケースでは、落下や引っ掻き等の応力が加わった際には、剛性が比較的低い外側ケースによって、応力が良好に吸収されるので、「耐衝撃性及び耐擦傷性」が良好なものとなる。また、曲げ応力が加わった際には、外側ケースの中に嵌め込まれた、剛性が比較的高いディスクトレイによって、収納ケース全体の変形が抑えられるので、「耐変形性」も良好なものとなる。したがって、本発明のディスク収納ケースは、耐衝撃性、耐擦傷性、及び耐変形性がいずれも良好で、記録媒体ディスクの保護性が向上されたものとなる。
【００２６】
本発明のディスク収納ケースにおいて、「外側ケースによる耐衝撃性及び耐擦傷性の確保」と、「ディスクトレイによる耐変形性の確保」のバランスの観点から、Ｇａ≧１．５Ｇｂであることが好ましく、Ｇａ≧２Ｇｂであることがより好ましい。
【００２７】
具体的には、「外側ケースによる耐衝撃性及び耐擦傷性の確保」と、「ディスクトレイによる耐変形性の確保」のバランスが特に良好となることから、Ｇａ≧３．０ＧＰａかつＧｂ≦２．０ＧＰａであることが好ましく、Ｇａ≧３．２ＧＰａかつＧｂ≦１．６ＧＰａであることがより好ましい。
【００２８】
ディスクトレイの曲げ弾性率Ｇａの上限、及び外側ケースの曲げ弾性率Ｇｂの下限は制限されない。ただし、成形性等を考慮すれば、Ｇａ≦４．０ＧＰａであることが好ましく、外側ケースによってもある程度の耐変形性を確保することを考慮すれば、Ｇｂ≧１．０ＧＰａであることが好ましい。
【００２９】
本発明のディスク収納ケースにおいて、ディスクトレイと外側ケースの材質は、上記規定を充足するものであれば特に制限されない。
【００３０】
Ｇａ≧３．０ＧＰａかつＧｂ≦２．０ＧＰａを充足することができ、しかも少なくとも外側ケースの透光性が比較的良好で、インデックス視認性が良好な組合せとしては、ディスクトレイが、ポリスチレン（ＰＳ）系樹脂（曲げ弾性率２．０〜４．０ＧＰａ）、ポリカーボネート（ＰＣ）系樹脂（曲げ弾性率２．０〜８．０ＧＰａ）、及びポリアクリル（ＰＭＭＡ）系樹脂（曲げ弾性率１．５〜３．５ＧＰａ）から選ばれる１種以上を主成分とするものであり、外側ケースが、ポリウレタン（ＰＵ）系樹脂（曲げ弾性率０．１〜０．７ＧＰａ）及び／又はポリオレフィン（ＰＯ）系樹脂（曲げ弾性率１．０〜４．０ＧＰａ）を主成分とする組合せ等が挙げられる。ディスクトレイと外側ケースは、必要に応じて、主成分以外の各種添加剤等の任意成分を含むものであってもよい。
【００３１】
なお、同系樹脂でも、平均分子量や単量体単位の組成等によって曲げ弾性率は変わるので、Ｇａ≧３．０ＧＰａかつＧｂ≦２．０ＧＰａを充足するよう、樹脂の組合せを選定することが好ましい。
【００３２】
「ＰＳ系樹脂」としては、スチレン、α−メチルスチレン、ｔ−ブチルスチレン、及びｐ−メチルスチレン等のスチレン系単量体単位を含む単独重合体又は共重合体、ゴム質重合体に少なくとも上記スチレン系単量体をグラフト重合してなるグラフト共重合体、及びこれらの混合物等が挙げられる。「ＰＳ系樹脂」としては、ＧＰＰＳ（ジェネラルパーパスタイプ）、ＨＩＰＳ（ハイインパクトタイプ）等が市販されている。
【００３３】
「ＰＣ系樹脂」としては、2,2-ビス(4-ヒドロキシフェニル)アルカン系、ビス(4-ヒドロキシフェニル)エーテル系、ビス(4-ヒドロキシフェニル)スルフォン系、及びビス(4-ヒドロキシフェニル)スルファイド系等の各種ビスフェノールと、ホスゲン等のカーボネート前駆体との反応により得られる樹脂、上記ビスフェノールとジフェニルカーボネート等のカーボネート前駆体とのエステル交換反応等により得られる樹脂、及びこれらの混合物等が挙げられる。
【００３４】
「ＰＭＭＡ系樹脂」としては、（メタ）アクリル酸、及び、（メタ）アクリル酸メチル、（メタ）アクリル酸エチル、（メタ）アクリル酸ｎ-プロピル、（メタ）アクリル酸ブチル等の（メタ）アクリル酸エステル等の（メタ）アクリル酸系単量体単位を含む単独重合体又は共重合体、及びこれらの混合物等が挙げられる。
【００３５】
「ＰＵ系樹脂」は主鎖にウレタン結合を有する樹脂であり、２以上の水酸基を含む水酸基含有化合物と、２以上のイソシアネート基を含むイソシアネート基含有化合物とを反応させて得られる樹脂、及びその混合物等が挙げられる。水酸基含有化合物としては、エチレングリコール、ジエチレングリコール，1,4−ブタンジオール、及び1,6−ヘキサンジオール等のジオール、グリセリン、トリメチロールプロパン、及びペンタエリスリトール等のポリオール等が挙げられる。イソシアネート基含有化合物としては、トルイレンジイソシアネート、4,4’−ジフェニルメタンジイソシアネート、キシリレンジイソシアネート、イソホロンジイソシアネート、4,4’−ジシクロヘキシルメタンジイソシアネート等が挙げられる。
【００３６】
「ＰＯ系樹脂」としては、エチレン、プロピレン、ブテン、ぺンテン、ヘキセン、オクテン等のオレフィン系単量体単位を含む単独重合体又は共重合体、及びこれらの混合物等が挙げられる。ＰＯ系樹脂としては、具体的には、ポリエチレン（ＰＥ）、ポリプロピレン（ＰＰ）等が挙げられる。
【００３７】
上記組合せの中でも、材料コストや成形性等を考慮すれば、ディスクトレイがＰＳ系樹脂（曲げ弾性率２．０〜４．０ＧＰａ）を主成分とし、外側ケースがＰＯ系樹脂（曲げ弾性率１．０〜４．０ＧＰａ）を主成分とする組合せが好ましく、さらには、ディスクトレイがＧＰＰＳ（曲げ弾性率２．０〜３．０ＧＰａ）を主成分とし、外側ケースがＰＰ（曲げ弾性率１．０〜２．０ＧＰａ）を主成分とする組合せが好ましい。
【００３８】
本発明のディスク収納ケースでは、ディスクトレイの曲げ弾性率Ｇａが外側ケースの曲げ弾性率Ｇｂよりも大きい構成としている。換言すれば、外側ケースの曲げ弾性率Ｇｂがディスクトレイの曲げ弾性率Ｇａより小さい構成としている。かかる構成では、上記したように、外側ケースによって「耐衝撃性及び耐擦傷性」が確保され、ディスクトレイによって「耐変形性」が確保されたものとなる。したがって、本発明のディスク収納ケースは、耐衝撃性、耐擦傷性、及び耐変形性がいずれも良好で、記録媒体ディスクの保護性が向上されたものとなる。
【００３９】
「発明が解決しようとする課題」の項で述べたように、ディスクトレイと外側ケースの材質が同一材質からなる従来のディスク収納ケースでは、「耐衝撃性及び耐擦傷性」と「耐変形性」とは互いに背反する特性であるが、本発明は、これらを両立することを実現したものである。
【００４０】
また、本発明のディスク収納ケースでは、外側ケースの剛性が比較的低いので、外側ケースの成形性が優れる。そのため、図１に好適な態様を示すように、外側ケース３が、一端縁２１、３１同士が柔軟なヒンジ部４０を介して互いに連結され、一体成形された、開閉自在な一対のケース半体２０、３０からなり、一対のケース半体２０、３０のうち少なくとも一方に、別成形されたディスクトレイ１０が嵌め込まれた構成とすることができる。図中、ディスク収納ケースには符号１、記録媒体ディスクには符号２を付してある。
【００４１】
図示する態様では、外側ケース３とディスクトレイ１０とが平面視略矩形状であり、ディスクトレイ１０は、記録媒体ディスク２が嵌め込まれて収容される略円盤状のディスク収容凹部１１と、ディスク収容凹部１１の外側に延在する張出部１２とからなり、ディスク収容凹部１１の中央部には、記録媒体ディスク２の中央開口部側を着脱自在に保持するディスククランパ１１ａが設けられている。
【００４２】
図示する態様は、図２（ａ）に示した従来のＰＳタイプでも、図２（ｂ）に示した従来のＰＰタイプでもない。そして、かかる構成では、一方のケース半体に連結アームと突起を設けて、一対のケース半体を連結する従来のＰＳタイプと異なり、一方のケース半体２０、３０が、一端縁２１、３１に沿って幅広に形成されたヒンジ部４０を介して連結されるので、一対のケース半体２０、３０の開閉時に連結部分にかかるストレスを著しく抑えることができる。
【００４３】
このように、本発明のディスク収納ケースでは、「耐衝撃性及び耐擦傷性」と「耐変形性」との両立を図り、しかも、外側ケースを一体成形することができる。外側ケースを一体成形できることは、上記のように、連結部分にかかるストレスを抑制でき、連結部分の耐久性が良好となるので、好ましい。
【００４４】
なお、外側ケースが、一端縁同士がヒンジ部を介して互いに連結され、一体成形された、開閉自在な一対のケース半体からなり、一対のケース半体のうち少なくとも一方に、別成形されたディスクトレイが嵌め込まれたものであれば、図示するものに限らず、同様の効果が得られる。
【００４５】
また、外側ケースを一体成形することは好適であるが、一対のケース半体を別成形する構成としてもよい。この場合には、連結部分の耐久性が、外側ケースを一体成形する場合に比して劣るものとなるが、耐衝撃性、耐擦傷性、及び耐変形性については同様に良好なものとなる。
【産業上の利用可能性】
【００４６】
本発明は、ＣＤ、ＤＶＤ、ＢＤ等の記録媒体ディスクを収納するディスク収納ケースとして、好ましく利用できる。
【図面の簡単な説明】
【００４７】
【図１】本発明のディスク収納ケースの好適な態様を示す斜視図である。
【図２】従来のディスク収納ケースの斜視図である。
【符号の説明】
【００４８】
１  ディスク収納ケース
２  記録媒体ディスク
３  外側ケース
１０  ディスクトレイ
２０、３０  ケース半体
２１、３１  一端縁
４０  ヒンジ部
【図１】
2006213348.tif 000003
【図２】
2006213348.tif 000004